(57)【要約】【課題】  面前の人や回りの人に鏡を利用していることが覚られることなく口元や化粧状態などのチェックをすることができるエチケットミラー（又はマナー―ミラー）を提供すること。【解決手段】  手の掌に収まってしまう円形，長円形，多角形，ハート形など適宜平面形状をなす拡大反射鏡１を、該鏡を裏面から保持するフレーム２に取付けたこと。【選択図】図１
0003118944.tif 000002
【実用新案登録請求の範囲】
【請求項１】
手の掌に収まってしまう円形，長円形，多角形，ハート形など適宜平面形状をなす拡大反射鏡を、該鏡を裏面から保持するフレームに取付けたことを特徴とするエチケットミラー。
【請求項２】
拡大反射鏡は、手の掌の指を含まない部分、又は、指の部分に収まってしまう大きさに形成した請求項１のエチケットミラー。
【請求項３】
拡大反射鏡は、左右が４〜７cm、上下が1.5〜4cmの横長多角形又は横向き長円形乃至楕円形に形成した請求項１又は２のエチケットミラー。
【請求項４】
拡大反射鏡は、凹面鏡により形成した請求項１〜３のいずれかのエチケットミラー。
【請求項５】
凹面鏡は、ガラス製，鏡面金属を蒸着したプラスチック製，金属製のいずれである請求項４のエチケットミラー。
【請求項６】
凹面鏡の表面には傷防止のための透光性材料によるハードコートを施した請求項５のエチケットミラー。
【請求項７】
フレームは、金属製、プラスチック製，天然又は人造の皮革製，ガラス製，陶磁器製，木製，竹製，紙製のいずれかである請求項１〜６のいずれかのエチケットミラー。
【請求項８】
フレームには、キーホルダーの鎖や紐、或は、携帯電話ストラップなどの紐や鎖などを連結するための連結穴又は切欠きを形成した請求項７のエチケットミラー。
【請求項９】
フレームの外面には、アクセサリー性の高い装飾を施した請求項８のエチケットミラー。
【考案の詳細な説明】
【技術分野】
【０００１】
本考案は、使用するとき手の掌中に完全に隠すことができ、同席者や対面者、或は、周囲の人に手鏡を利用していることが覚られることがないエチケットミラー（又は、マナーミラーともいう）に関する。
【背景技術】
【０００２】
一般に女性は外出してレストラン等で食事をしたあとや食事中などに、自分の口元や化粧状態などをチェックするため、バッグ等からコンパクトを取出してミラーを開きその鏡で前記口元や化粧状態などのチェックを行うことが多い。
【０００３】
しかし、例えば、取引先や先輩など畏まる必要がある人と同席しているとき、その面前でコンパクトのミラーを出して自分の口元や化粧の状態をその鏡でチェックすることは、いわばマナー乃至は常識として憚るべきこととする慣習が根付いている。
【０００４】
勿論、上記のようなマナーは、親しい友人や親族などの面前においても保持されることが望ましいことは、論を俟たない。
【０００５】
従来、上記のような状況下で、面前の人や回りに居る人に気付かれることなく、自分の口元や化粧の状態をチェックできるような鏡、即ち、本考案でいうエチケットミラー、或は、マナーミラーは市場に提供されておらず、このため特に畏った席ではわざわざ席を立って洗面所など別の場所へ行きそこに設置されている鏡を利用して口元や化粧状態などのチェックをしているのが現状である。
【０００６】
しかし乍ら、鏡を使用していることが面前の人や回りの人に覚られないように、席についたまま口元や化粧の状態を鏡でチェックすることが可能であれば、上記のような煩しさや礼を失する振舞いをする必要がなくなり、日常生活上、至って便利であることは明らかである。
【０００７】
本考案の考案者は、食事や会席などの途中で面前の人や回りの人に覚られることなく自分の口元や化粧状態などのチェックができる鏡はできないものかと、鋭意、研究と検討を重ねた結果、本考案を完成するに至ったものである。
【考案の開示】
【考案が解決しようとする課題】
【０００８】
即ち、本考案は、面前の人や回りの人に鏡を利用していることが覚られることなく口元や化粧状態などのチェックをすることができるエチケットミラー（又はマナー―ミラー）を提供することを、課題とする。
【課題を解決するための手段】
【０００９】
上記課題を解決することを目的としてなされた本考案エチケットミラーの構成は、の掌に収まってしまう円形，長円形，多角形，ハート形など適宜平面形状をなす拡大反射鏡を、該鏡を裏面から保持するフレームに取付けたことを特徴とするものである。ここで、拡大反射鏡は、手の掌の指を含まない部分、又は、指の部分に収まってしまう大きさに形成したものが、その使用を第三者から隠す上で好ましい。具体的には、前記拡大反射鏡には、凹面鏡をカットして形成し、その大きさと形状は、左右４〜７cm、上下1.5〜４cmの大きさ、好ましくは左右長約５cm、上下幅1.5cmの大きさの横長多角形又は横向き長円形乃至楕円形であるものが使い易い。本考案において、使用する拡大反射鏡（凹面鏡）の平面形状は、上記例に限られるものではない。
【００１０】
本考案エチケットミラーの凹面鏡は、ガラス製，鏡面金属を蒸着したプラスチック製，金属製のいずれであってもよい。さらに、凹面鏡の表面には傷防止のための透光性材料によるハードコートを施すことが望ましい。
【００１１】
また、本考案エチケットミラーにおいて、長方形の小型凹面鏡を保持するためのフレームは、金属製、プラスチック製，天然又は人造の皮革製，ガラス製，陶磁器製，木製，竹製，紙製のいずれであってもよく、また、そのフレームには、キーホルダーの鎖や紐、或は、携帯電話ストラップなどの紐や鎖などを連結するための連結穴又は切欠きを形成したものがよい。
【考案の効果】
【００１２】
本考案では、一例として左右４〜７cm、上下1.5〜４cmの大きさ、好ましくは、左右長５cm、上下幅1.5cmの大きさの横長多角形或は横向き長円形の拡大反射鏡（凹面鏡）を、該鏡を裏面から保持するフレームに取付けてエチケットミラーを形成したので、このミラーは、女性の小さめの手であってもその掌内、特に、広げた手の指を除く掌内、或は、広げた手の指の部分の中に完全に収まるから、このミラーを使って、会食中などに自分の口元や化粧状態を見ても面前の人，回りの人に鏡を使っていることを覚られないから、面前の人や回りの人に不快な感じを与えることがなく、従って、エチケットやマナーを損うことがないという効果を奏する。
【考案を実施するための最良の形態】
【００１３】
次に本考案エチケットミラーの実施態様の一例について、図を参照して説明する。添付した図１は、本考案エチケットミラーの一例の斜視図、図２は図１のエチケットミラーのＡ−Ａ線矢視拡大断面図である。
【００１４】
図において、１は、一般に市販されている円形の凹面鏡から、その中心部分を長さ４〜５cm、上下幅１〜２cmに切り出して形成した本考案に用いる横向き長方形の凹面鏡による拡大反射鏡である。この拡大反射鏡１は、図２に例示するように、凹レンズ状の透明なガラス部1aの裏面に、金属蒸着等により形成された鏡作用部1bを備えたものである。
なお、本考案における凹面鏡の平面形状は、先に述べた横長多角形や横向き長円形のほかに、円形，その他の多角形，ハート形，星形，クロス形など、適宜平面形状の凹面鏡を用いることができる。
【００１５】
上記拡大鏡１は、その裏面側と外周において、フレーム２に保持され、本考案エチケットミラーの一例を形成する。
図示したフレーム２は、拡大鏡１の４つの辺を囲むように彫込みなどによって形成した凹状の鏡装着部2aと、この装着部2aを囲む枠部2bと、枠部2bの一辺、図の例では右辺を幅広に形成して、キーホルダーや携帯ストラップなどの紐や鎖を連結するための穴2cを有する頭部とを備えて形成されている。この頭部には、穴2cに代え、又は、この穴2cとともに紐や鎖を結合したり、係止したりするための切欠きを形成することもある。
【００１６】
上記フレーム１の表側と裏側の面には、彫刻やプレスなどによる適宜の模様や絵柄などが付けられ、ペンダント等のアクセサリとしての利用もできるような装飾を施すことが望ましいが、模様などを付けない光沢面仕上げやナシ地仕上げであってもよい。
【００１７】
上記の本考案エチケットミラーにおいては、拡大反射鏡１のガラス面表面には、透明プラスチック膜などによるハードコートを施し、ガラス面に傷が付き難いようにすることが望ましい。
【００１８】
また、本考案では、拡大反射鏡１に上記のガラス製凹面鏡のほか、プラスチック製，金属製の凹面鏡を代替適用することが可能である。いずれの材質の凹面鏡であっても、その表面に防護用のハードコートを施した方が望ましい点はガラス製凹面鏡の場合と同じである。
【００１９】
さらに、本考案におけるフレーム２には、金属製フレームのほか、プラスチック製，ガラス製，陶磁器製，木製，竹製，天然又は人造の皮革製，紙製などのフレームを用いることができる。金属製フレームの材質は、金，銀等の貴金属ムク製から銅，鉄，アルミ等の通常金属製又はそれらに適宜メッキを施したものまで、いずれの性状の金属であってよい。
【００２０】
また、金属以外の材質のフレーム２では、その硬度や強度を調節した材質に形成しておき、上述した金属製フレーム２の場合と同様に着色や絵柄等の描込みやプリント、或は、エンボス加工など、装飾性を高める装飾を施すことが望ましい。
【産業上の利用可能性】
【００２１】
本考案は以上の通りであって、一例として、左右の長さ４〜７cm、上下の幅1.5〜４cm程度の大きさ、好ましくは、左右長５cm、上下幅1.5cm程度の大きさの横長多角形長円形の凹面拡大反射鏡を、該鏡を裏面から保持するフレームに取付けることによりエチケットミラー乃至マナーミラーとしたので、使用時に女性の小さめの手の掌の中に完全に収まり、外部からはその使用が全くといってよい程判らず、従って、たとえ会食中などにおいて人の面前でこの鏡を使用しても、同席者や回りの人に礼を失したり不快な思いをさせることがない。
よって本考案エチケットミラーは、特に女性がアクセサリを兼ねて身につける小型の鏡としてきわめて有用である。なお、本考案エチケットミラーは、女性専用品ではなく男性が使用してもよいこと勿論である。
【図面の簡単な説明】
【００２２】
【図１】本考案エチケットミラーの一例の斜視図。
【図２】図１のエチケットミラーのＡ−Ａ線矢視拡大断面図。
【符号の説明】
【００２３】
１    拡大反射鏡（凹面鏡）
２    フレーム
【図１】
0003118944.tif 000003
【図２】
0003118944.tif 000004